(57)【要約】【課題】  パチンコ遊技場等でパチンコ玉を収容するために使用されるパチンコ玉箱に関するもので、客が大勝したときに、他の客に目立つようにして、遊技場を賑やかに活気づけることができるようにする。【解決手段】  上に開口するパチンコ玉箱の当該開口縁部に、所望の表示を施した表示具の下部を差し込むことにより該表示具を立てた状態で保持することのできるスリット又は穴を設けた。所望の表示を施した表示板を前記スリットに差し込んで起立状態で保持することも、支柱を備えた旗の該支柱を穴に差し込んで立てることもできる。【選択図】    図１
2007307134.tif 000002
【特許請求の範囲】
【請求項１】
上に開口するパチンコ玉箱の当該開口縁部に、所望の表示を施した表示具の下部を差し込むことにより該表示具を立てた状態で保持することのできるスリット又は穴を設けたことを特徴とするパチンコ玉箱。
【請求項２】
表示具が板状であり、その下縁部を差し込んで立てることのできるスリットが設けられている請求項１に記載のパチンコ玉箱。
【請求項３】
表示具が支柱を有する旗であり、該支柱を差し込んで立てることのできる穴が設けられている請求項１に記載のパチンコ玉箱。
【発明の詳細な説明】
【技術分野】
【０００１】
本発明は、パチンコ遊技場等でパチンコ玉を収容するために使用されるパチンコ玉箱に関するものである。
【背景技術】
【０００２】
パチンコ遊技場では、遊戯客が獲得したパチンコ玉（以下「玉」と呼ぶ）を入れておくためのプラスチック製のパチンコ玉箱（以下「玉箱」と呼ぶ）が使用されている。この玉箱は、通常は平面視長方形又はそれに類似する形状をした上に開口する容器で、長手方向の両端部に設けた把手をつかんで両手で持ち運べるようにした比較的小型のもの（特許文献１参照）や、数千個から１万個程度のパチンコ玉を収容することのできる大型のもの等、種々のものがある。
【０００３】
上記大型のパチンコ玉箱にパチンコ玉を一杯に入れると、重量が大きくなり、一人で手で持って運ぶのは困難となるので、底部にキャスターを取り付け、床面上を転動するようにしたものもある。また、パチンコ玉に滞電した静電気を除去するため、玉箱の底部に収容した玉の一部が下方へ突出して金属製カウンターに接触する通孔を設けたものもある（特許文献２参照）。
【０００４】
【特許文献１】特開９−４７５６８号公報
【特許文献２】実公平３−６３８５号公報
【発明の開示】
【発明が解決しようとする課題】
【０００５】
上記大型の玉箱にパチンコ玉を一杯に入れるのは、パチンコ遊戯に大勝した場合であるが、遊技場としては、景気付けのため、誰かが大勝したことを他の多くの客にもアッピールするのが好ましい。しかしながら、従来のパチンコ玉箱は、大勝してもこれを他の客に目立つようにアッピールする手段がなかった。そこで本発明は、大勝したときに、他の客に目立つように、パチンコ玉箱にそれを誇示できるようにすることを課題としている。
【課題を解決するための手段】
【０００６】
上記課題を解決するため、本発明は次のような構成を採用した。すなわち、請求項１に記載のパチンコ玉箱は、上に開口するパチンコ玉箱の当該開口縁部に、所望の表示を施した表示具の下部を差し込むことにより該表示具を立てた状態で保持することのできるスリット又は穴を設けたことを特徴としている。
【０００７】
また、請求項２に記載のパチンコ玉箱は、上記表示具が表示板であり、玉箱本体に設けたスリットに当該表示板の一部を挿入して起立状態で保持するものである。また、請求項３に記載のパチンコ玉箱は、表示具が支柱を有する旗であり、この支柱を玉箱本体に設けた穴に差し込んで起立状態で保持するものである。これら表示板と旗を共に取り付けられるようにしておくとさらに効果的である。
【発明の効果】
【０００８】
請求項１に記載のパチンコ玉箱は、玉箱自体に表示具を取り付けることができるので、この表示具に例えば「大当たり」等の表示をして玉箱に取り付けておくことにより、他の客の目につきやすくなる。したがって、これを見た人の射倖心を刺激することになり、遊技場としては、大いに景気付けになる。請求項２に記載のパチンコ玉箱は、表示板をスリットに差し込んで起立状態で保持するもので、構造的に簡単である。また、請求項３に記載のパチンコ玉箱は、支柱を備えた旗を立てるもので、大いに目立つことになる。なお、景気付け以外の目的の記事、例えばゲームのルール等、他の表示を施しておくこともできる。
【発明を実施するための最良の形態】
【０００９】
以下本発明の実施形態について、具体的に説明する。図１は、本発明に係るパチンコ玉箱を例示するもので、このパチンコ玉箱１は、玉箱本体２が上に開口する概略長方形の箱として形成されている。玉箱本体２の材質としては、ポリカーボネート等のプラスチック材料が使用される。
【００１０】
玉箱本体２の開口部は上に開く形状となっていて、長手方向の両端部の内側には平面視角型の隆起部３，３が形成されている。この隆起部３の下面側は空洞部となっていて、下側から手の指を並べて入れることができるようになっている。このため、この玉箱を両手で簡単に持ち運びすることができる。角型隆起部３の上面基部には、旗を立てるための上下に通ずる複数（図示例では３個）の通孔（穴）５，…が設けられている。この通孔５は、両側の隆起部３にそれぞれ１個づつ設けておいてもよい。
【００１１】
図２及び図３は上記通孔５の詳細を表すもので、この通孔５は旗の支柱が嵌り込む内径を有し、その上端部５ａは漏斗状に開いていて、支柱の挿入を容易にしている。通孔５の内部には、互いに交叉する直径方向の内壁部分に僅かな凸条６が形成されている。このため、挿入された旗の支柱が遊ばないように弾力的にしっかりと保持される。
【００１２】
また、玉箱本体２の幅方向の両側にも隆起部７，７が設けられている。この隆起部７の下側も空洞部となっている。この隆起部７の表側には、上に開くように傾斜した溝９が形成されている。この溝９は、内部に収容したパチンコ玉を排出するための溝である。玉箱本体２を傾ければ、内部の玉がこの溝９を通って流出する。
【００１３】
上記隆起部７の基部には、玉箱本体２の側壁に沿うスリット１０が設けられている。図４、図５はこのスリット１０の詳細を表すもので、このスリット１０は、玉箱本体２の側壁に沿って細長い垂下部１１が設けられ、この部分に上下に通ずるように設けられている。スリット１０の断面形状は、上が広く下が徐々に狭くなる概略三角形状であり、該スリットの下側には該スリットよりも広い空間部１２が形成されている。なお、スリットの長手方向に沿って所定の間隔で複数（図示例では５個）の内面突起部１３，…が設けられている。この内面突起部１３の位置ではスリットの幅が狭くなるため、表示板を挿入したときに該表示板が弾力的にしっかりと保持される。
【００１４】
なお、玉箱本体２の内壁面には、段状の隆起部１４が形成され、底部には凹部１５が形成されている。このように底部や側壁の部分に凹凸が形成されているので、玉箱本体２が補強され、多数の玉を収容することができるのである。
【００１５】
表示具としては、図示例では表示板２０と旗３０が採用されている。表示板２０は、プラスチック製の板であり、興味を引くような形状や色彩に成形されていて、その表面に模様や「大当たり」等の適当な表示が施されている。また、旗３０は、支柱３１にプラスチック又は布製の板又はシート３２を取り付けたもので、この旗３０にも適当な表示が施されている。これらの表示具は、目立ちやすい黄色や赤等の色彩を施しておくのが好ましい。
【００１６】
このパチンコ玉箱は、通常の保管や清掃等の邪魔にならないように、表示具を取り付けずに使用すればよい。一方、客が大量のパチンコ玉を勝ち取ったときは、その大量の玉を収容した玉箱本体２に表示具を取り付けておく。すると、玉箱の外観が賑やかになり、他の客も刺激されて遊技場内が活気に満ちることが期待できる。
【００１７】
表示具は、玉箱本体２に設けた穴５又はスリット１０に挿入するだけで簡単に着脱できるので、便利である。なお、大量の玉を収容する大型の玉箱には、搬送に便利なように、キャスターを取り付けておくのが好ましい。以上の説明では、パチンコ玉を収容する例について述べたが、コインやメダルの収容に使用できることは言うまでもない。
【産業上の利用可能性】
【００１８】
本発明に係るパチンコ玉箱は、プラスチック材料で工業生産的に製作することが可能であり、パチンコ遊戯店等で、客が勝ち取った玉を収容するために使用するに便利なものである。
【図面の簡単な説明】
【００１９】
【図１】パチンコ玉箱の外観図である。
【図２】旗立て用の穴（通孔）の平面図である。
【図３】その断面図である。
【図４】表示板用のスリットの平面図である。
【図５】その断面図である。
【符号の説明】
【００２０】
１      パチンコ玉箱
２      玉箱本体
３      隆起部
５      通孔
１０      スリット
２０      表示板（表示具）
３０      旗（表示具）
【図１】
2007307134.tif 000003
【図２】
2007307134.tif 000004
【図３】
2007307134.tif 000005
【図４】
2007307134.tif 000006
【図５】
2007307134.tif 000007